(57)【要約】【課題】一つの包装体で幾種類のセット商品を箱詰め包装するのに用いる包装用支持板を提供する。【解決手段】支持板１０の表面に、三個以上の切り起こし１２を平行に、起伏可能に形成し、必要ならば、上記切り起こし１２に対して切り起こし１６を千鳥足状に位置を違えて形成し、また、上記切り起こし１２，１６を形成していない部分に、上記切り起こし１２，１６に対して直角方向の別の切り起こし１５を起伏可能に形成し、上記支持板１０の一部分にＩ形と、そのＩ形の上下水平部両端から上下方向に連続してＵ字状で、その中間部分を残して切り込みを入れ、上記Ｉ形の上下水平両端間に亘りミシン目１８（折り畳み線やハーフカットでもよい）を設け、上記支持板１０の両端をケースの内法に合わせて同方向に折り曲げ、その折り曲げ片の中間で逆向きに少なくとも一回折り曲げてクッション構造２２としたものである。【選択図】図１
2006044736.tif 000002
【特許請求の範囲】
【請求項１】
収容された商品が、ケース内で揺動しないように支える支持板であって、その支持板の表面に、三個以上の切り起こしを平行に、起伏可能に形成したことを特徴とする包装用支持板。
【請求項２】
上記切り起こしを千鳥足状に位置を違えて形成したことを特徴とする請求項1に記載の包装用支持板。
【請求項３】
上記切り起こしを形成していない部分に、上記切り起こしに対して直角方向に、別の切り起こしを平行に、起伏可能に形成したことを特徴とする請求項１または２に記載の包装用支持板。
【請求項４】
上記支持板の一部分にＩ形と、そのＩ形の上下水平部両端から上下方向に連続してＵ字状で、その中間部分を残して切り込みを入れ、上記Ｉ形の上下水平部両端間に亘り折り畳み線、ミシン目、ハーフカットのいずれかを設けたことを特徴とする請求項1乃至３のいずれかに記載の包装用支持板。
【請求項５】
上記支持板の両端をケースの内法に合わせて同方向に折り曲げたことを特徴とする請求項1乃至４のいずれかに記載の包装用支持板。
【請求項６】
上記折り曲げた部分の中間で逆向きに少なくとも一回折り曲げてクッション構造としたことを特徴とする請求項1乃至５のいずれかに記載の包装用支持板。
【発明の詳細な説明】
【技術分野】
【０００１】
この発明は、収容された商品がケース内で揺動しないようにする包装用支持板に関する。
【背景技術】
【０００２】
収容した商品がケース内で揺動しないようにする手段として、例えばリンゴや卵など、その商品の形に合わせたトレーを段ボールケース内に納め、このトレーに商品を詰めるようにする方式が広く採用されている。
【０００３】
また、家庭電化製品など規格化された商品の場合、その商品の外形形状に合わせた支持体を発泡樹脂や段ボールで形成し、この支持体と共に商品を段ボールケースに収容する方式も広く採用されている。
【０００４】
しかし上記方式は、包装される商品がリンゴやたまごのように形が一定であるか、規格化された一定形状の商品の場合には有効であるが、包装される商品の大きさや形状が種々変化する場合、例えば、紳士用身装具のセット、喫煙用品セット、化粧用品セット、筆記用具セットなどのセット商品を一包装体で兼用することは叶わないものであった。
【発明の開示】
【発明が解決しようとする課題】
【０００５】
この発明は、上記のように一つの包装体で幾種類のセット商品を箱詰め包装するのに用いる包装用支持板を提供することを課題とする
【課題を解決するための手段】
【０００６】
上記課題を解決するためにこの発明は、収容された商品がケース内で揺動しないように支える支持板であって、その支持板の表面に、三個以上の切り起こしを平行に、起伏可能に形成した（請求項１）もので、上記切り起こしを千鳥足状に位置を違えて形成（請求項２）し、必要ならば、上記切り起こしを形成していない部分に、上記切り起こしに対して直角方向の別の切り起こしを起伏可能に形成（請求項３）し、上記支持板の一部分にＩ形と、そのＩ形の上下水平部両端から上下方向に連続してＵ字状で、その中間部分を残して切り込みを入れ、上記Ｉ形の上下水平部両端間に亘り折り畳み線、ミシン目、ハーフカットのいずれかを設け（請求項４）、上記支持板の両端をケースの内法に合わせて同方向に折り曲げ（請求項５）、その折り曲げ片の中間で逆向きに少なくとも一回折り曲げてクッション構造（請求項６）としたものである。
【発明の効果】
【０００７】
上記の如く構成するこの発明は、三個以上の起伏可能な切り起こしを平行に設けることによって幅の違う二種類以上の被包装体を上記切り起こし間に納めて揺動しないように包装することができる。また、上記切り起こしを千鳥足状に設けることにより比較的長い商品が三点で支持され揺動防止効果を一層高めている。
【０００８】
また、上記切り起こしに対して直角方向に切り起こしを設けるものでは、切り起こしによって被包装体の前後・左右から挟まれた状態になって、被包装体が一層しっかり固定されて揺動しないように支持される。また、上記支持板の一部分にＩ形の切り込みとＩ形の上下水平部両端から上下に向け、連続してＵ字状に、その中間部分を残して切り込みを入れ、上記Ｉ形の上下水平部両端間に亘り折り畳み線、ミシン目、ハーフカットのいずれかを設けることによってペン、扇子など細長い商品を固定するのに便利である。
【０００９】
また、上記支持板の両端をケースの内法に合わせて同方向に折り曲げ、さらにその折り曲げ片の中間で少なくとも一回折り曲げてクッション構造とすることにより包装商品の上下動を規制することができる。
【発明を実施するための最良の形態】
【００１０】
次に図面を参照しながらこの発明の実施の形態を説明する。包装用支持板１０の天板部分１１の長辺に平行に３個の切り起こし１２が形成され、この切り起こし１２の付け根部分中央には半円形のスリット１３が切り抜かれ、起伏側には指を差し込む半円形の孔１４が穿設されている。
【００１１】
上記平行に設けた３個の切り起こし１２の両外側には、その切り起こしに対し直角方向の切り起こし１５が同様に設けられ、さらに、その両外側に上記３個の切り起こし１２と平行で同一線上に切り起こし１６が同様に設けられ、上記３個の切り起こし１２との関係で千鳥足状となっている。
【００１２】
また、上記切り起こし群１２，１５，１６の図面上左側に、Ｉ形で、そのＩ形の上下水平部両端から連続して上下方向にＵ字状で、その中間部分を残して切り込み１７（スリット）を入れ、上記Ｉ形の上下水平部両端間に亘り破線状のミシン目１８（ハーフカットや折り畳み線でもよい）を入れ、Ｉ形の切り込みの中央に、指を差し込む円形の孔１９が開けられて細長い商品用の切り起こし２０が設けられている。
【００１３】
上記天板部分１１の両側は、ケース３０の内法より僅かに小さい寸法でコ字状に折り曲げ２１、さらに折り曲げられた部分の中間で逆方向に折り曲げてクッション構造２２としている。従って、包装用支持板１０に商品が配置されると上記クッション構造２２の作用により、商品は蓋を構成する第四片３４との間で適度に押さえられて揺動が抑えられる。
【００１４】
包装用支持板１０が納まるケース３０は、第一乃至第四片３１〜３４と差し込み片３５が折り畳み線を介して連なっており、第一片３１の両側に糊代片４３ｃが、第二片３２の両側に側壁形成片４３と折り畳みフラップ４３ａが、第三片３３の両側に糊代片４３ｂがそれぞれ折り畳み線を介して連設され、さらに第一片には４５度傾斜の折り畳み線Ｊ１、側壁形成片４３から折り畳みフラップ４３ａにかけて４５度傾斜の折り畳み線Ｊ２が入れられて、ケースを折りたためるようになっている。
【００１５】
上記ブランクは、第二片３２を底にして糊代片４３ｃ,４３ｂを折った第一・第三片３１，３３を起こし、次いで側壁形成片４３を起こして糊代片４３ｃ,４３ｂと接着して上部を解放したケース３０とする。
【００１６】
上記のように上部を解放したケース３０は、第四片３４を倒した状態で傾斜折り畳み線Ｊ１，Ｊ２に沿って畳むと平たく押し潰すことができ、使用するときはそのままの状態で箱起こしをする。
【００１７】
上部を解放した上記ケース３０内に、上述の包装用支持板１０を装填し、商品を収容した箱体Ｂ１乃至Ｂ４の大きさに適合した切り起こしを選択し、その切り起こしを起こして上記箱Ｂ１乃至Ｂ４を配置する。
【００１８】
図３は、左端と真ん中の切り起こし１２と切り起こしの両方を使って箱Ｂ１を配置した状態を、図４は、左端の切り起こし１２と外側の切り起こし１６を使って細長い箱Ｂ２を配置した状態を、図５は、切り起こし１５の両方と左側と真ん中の切り起こし１２を使用してぬいぐるみを配置した状態を、図６は、両端の切り起こし１２と切り起こし１５の両方を使って箱Ｂ３を配置した状態を、図７は、左端と真ん中の切り起こし１２を使って断面三日月状の包装体を配置した状態をそれぞれ示している。
【００１９】
また、切り起こし２０は、ペンや扇子のような細長い商品の配置に適しており、各切り起こしに半円形のスリット１３を形成しているのは小形商品を配置したときの商品の落ち込みを防止するためのものである。
【００２０】
なお、上記商品を入れた箱Ｂ１乃至Ｂ４およびぬいぐるみの大きさと、切り起こしの位置が完全に一致しないことがあっても、切り起こしの復元力で揺動阻止効果が得られる。また、切り起こしを選択的に採用することにより各種の寸法の箱Ｂ１乃至Ｂ４を揺動しないように配置収容することができる。また、包装用支持板１０の両端を折り曲げてクッション構造２２としているので第四片で蓋をすることにより押さえつけられて揺動を防止する効果が得られる。
【産業上の利用可能性】
【００２１】
以上説明したようにこの発明によれば、天板部分に、平行に、あるいは千鳥足状に平行に切り起こしを設け、上記切り起こしに対して直行するように別の切り起こしを設けることにより各種のサイズの商品を揺動しないように配置できるようになり、一つの包装用支持板で各種のセット商品を移動・揺動しないように包装することができる。
【図面の簡単な説明】
【００２２】
【図１】（ａ）この発明に係る包装用支持板とケースの斜視図、（ｂ）包装用支持板のクッション構造説明図(その１）、（ｃ）包装用支持板のクッション構造説明図(その２）
【図２】ケースの展開図
【図３】本発明に係る包装用支持板による包装例（その１）
【図４】同（その２）
【図５】同（その３）
【図６】同（その４）
【図７】同（その５）
【符号の説明】
【００２３】
１０  包装用支持板
１１  天板部分
１２  切り起こし
１３  スリット（半円形の）
１４  半円形の孔（指さし込み）
１５  切り起こし（直角方向の）
１６  切り起こし（外側の）
１７  切り込み（Ｉ形部分の）
１８  ミシン目
１９  円形孔
２０  切り起こし（細長い商品用）
２１  折り曲げ（コ字状）
２２  クッション構造
３０  ケース
３１  第一片
３２  第二片
３３  第三片
３４  第四片
３５  第五片
４３  側壁形成片
４３ａ  折り畳みフラップ
４３ｂ  糊代辺
４３ｃ  糊代辺
Ｂ  箱
Ｊ１，Ｊ２  折り畳み線
【図１】
2006044736.tif 000003
【図２】
2006044736.tif 000004
【図３】
2006044736.tif 000005
【図４】
2006044736.tif 000006
【図５】
2006044736.tif 000007
【図６】
2006044736.tif 000008
【図７】
2006044736.tif 000009